(57)【要約】【課題】ラスタデータの不具合を検知する装置がリソースの使用に要するライセンス情報を有してなくても、当該リソースを用いたラスタデータの不具合の検知を行えるようにする。【解決手段】画像処理装置１０Ａは、印刷する画像データから生成したラスタデータにフォントのライセンス情報を付加して検査装置３０へ出力し、印刷する画像データにフォントのライセンス情報を付加して検査装置３０へ出力する。検査装置３０は、取得した画像データに付加されているライセンス情報と、取得したラスタデータに付加されているライセンス情報が一致した場合、画像データが使用するフォントを用いてラスタデータを生成し、生成したラスタデータと、取得したラスタデータとの相違を検知する。【選択図】図１
2019197403.tif 000002
【特許請求の範囲】
【請求項１】
使用にライセンスを要するリソースを記憶する第１記憶手段と、
前記リソースの使用を許可するライセンス情報を有するライセンス保持手段と、
画像データが使用する前記リソースが前記第１記憶手段に記憶され、当該リソースの使用を許可する前記ライセンス情報を前記ライセンス保持手段が有している場合、当該リソースを使用して前記ライセンス情報が付加された第１のラスタデータを生成する第１生成手段と、
前記画像データに前記ライセンス情報を付加して検査装置へ出力し、前記第１のラスタデータを前記検査装置へ出力する出力手段と、
を有する画像処理装置と、
前記リソースを記憶する第２記憶手段と、
前記出力手段から出力される前記画像データと前記第１のラスタデータを取得する取得手段と、
前記取得手段が取得した前記画像データが使用する前記リソースが前記第２記憶手段に記憶され、前記画像データに付加されていた前記ライセンス情報が当該リソースの使用を許可するライセンス情報である場合、当該リソースを使用して前記ライセンス情報が付加された第２のラスタデータを生成する第２生成手段と、
前記第１のラスタデータと前記第２のラスタデータとの相違を検知する手段であって、付加されている前記ライセンス情報が同じである前記第１のラスタデータと前記第２のラスタデータとの相違を検知する検知手段と
を有する検査装置と
を備える画像処理システム。
【請求項２】
前記取得手段が取得した前記画像データに付加されているライセンス情報が、前記画像データが使用するリソースの使用を許可するライセンス情報ではない場合、相違の検知を行わない
請求項１に記載の画像処理システム。
【請求項３】
前記画像データが使用するリソースの使用を許可するライセンス情報を前記ライセンス保持手段が保持していない場合、相違の検知を行わない
請求項２に記載の画像処理システム。
【請求項４】
前記検知手段の検知結果を表示する表示手段
を備える請求項１に記載の画像処理システム。
【請求項５】
前記検知手段の検知結果をページ毎に表示する表示手段
を備える請求項４に記載の画像処理システム。
【請求項６】
画像データから第１方式で第１のラスタデータを生成する第１生成手段と、
前記第１のラスタデータを検査装置へ出力する出力手段と、
前記出力手段による前記検査装置への出力が失敗した場合、予め行われた設定に従って、前記出力手段の出力を制御する出力制御手段と
を有する画像処理装置と、
前記出力手段から出力される前記第１のラスタデータを取得する取得手段と、
前記画像データから第２方式で第２のラスタデータを生成第２生成手段と、
前記第１のラスタデータと前記第２のラスタデータとの相違を検知する検知手段と
を有する検査装置と
を備える画像処理システム。
【請求項７】
前記出力手段は、前記第１のラスタデータを画像形成装置へ出力し、
前記出力制御手段は、前記出力手段による前記検査装置への出力が失敗した場合、予め行われた設定に従って、前記出力手段の前記画像形成装置への前記第１のラスタデータの出力又は前記画像形成装置による画像形成を制御する
請求項６に記載の画像処理システム。
【請求項８】
記録媒体に形成する画像を表す画像データを取得する取得手段と、
使用にライセンスを要するリソースを記憶する記憶手段と、
前記リソースの使用を許可するライセンス情報を有するライセンス保持手段と、
前記画像データが使用する前記リソースが前記記憶手段に記憶され、当該リソースの使用を許可する前記ライセンス情報を前記ライセンス保持手段が有している場合、当該リソースを使用して前記ライセンス情報が付加された第１のラスタデータを生成する生成手段と、
前記取得手段が取得した画像データに前記ライセンス情報を付加して検査装置へ出力し、前記第１のラスタデータを前記検査装置へ出力する出力手段と、
を有する画像処理装置。
【請求項９】
コンピュータを、
記録媒体に形成する画像を表す画像データを取得する取得手段と、
使用にライセンスを要するリソースの使用を許可するライセンス情報を取得するライセンス取得手段と、
前記画像データが使用する前記リソースが記憶手段に記憶され、当該リソースの使用を許可する前記ライセンス情報を前記ライセンス取得手段が取得した場合、当該リソースを使用して前記ライセンス情報が付加された第１のラスタデータを生成する生成手段と、
前記取得手段が取得した画像データに前記ライセンス情報を付加して検査装置へ出力し、前記第１のラスタデータを前記検査装置へ出力する出力手段
として機能させるためのプログラム。
【請求項１０】
記録媒体に形成する画像を表す画像データを取得する取得手段と、
前記画像データから第１方式で第１のラスタデータを生成する生成手段と、
前記取得手段が取得した画像データと、前記第１のラスタデータを検査装置へ出力する出力手段と、
前記出力手段による前記検査装置への出力が失敗した場合、予め行われた設定に従って、前記出力手段の出力を制御する出力制御手段と
を有する画像処理装置。
【請求項１１】
コンピュータを、
記録媒体に形成する画像を表す画像データを取得する取得手段と、
前記画像データから第１方式で第１のラスタデータを生成する生成手段と、
前記取得手段が取得した画像データと、前記第１のラスタデータを検査装置へ出力する出力手段と、
前記出力手段による前記検査装置への出力が失敗した場合、予め行われた設定に従って、前記出力手段の出力を制御する出力制御手段
として機能させるためのプログラム。
【発明の詳細な説明】
【技術分野】
【０００１】
本発明は、画像処理システム、画像処理装置及びプログラムに関する。
【背景技術】
【０００２】
印刷装置に供給するビットマップ形式のラスタデータを作成する方式として、例えば、ＣＰＳＩ（Configurable PostScript Interpreter）という方式とＡＰＰＥ（Adobe PDF Print Engine）という方式があり、ＣＰＳＩ方式を用いた場合とＡＰＰＥ方式を用いた場合とでは、同じ画像データからラスタデータを生成しても画像が一致しない場合がある。特許文献１には、ＣＰＳＩ方式を用いた場合とＡＰＰＥ方式を用いた場合とで画像が一致するか比較する発明が開示されている。異なる方式で生成されたラスタデータを比較することにより、生成されたラスタデータに不具合があるか否かを検知することができる。
【先行技術文献】
【特許文献】
【０００３】
【特許文献１】特開２０１３−６３５４３号公報
【発明の概要】
【発明が解決しようとする課題】
【０００４】
印刷を行う際には、画像形成装置と、画像形成装置に出力するラスタデータを生成する画像処理装置の組を複数有し、ラスタデータの不具合の検知についてはコストを下げるため、画像処理装置で生成されるラスタデータと比較するためのラスタデータの生成及びラスタデータの不具合の検知を各画像処理装置に接続された一台の検査装置で行う構成が望まれている。この構成においては、例えば、特定のフォントについては、使用可能な画像処理装置がライセンスで定められていることがあり、一の画像処理装置に対して使用が許可されている場合がある。この場合、このフォントの使用が検査装置において許可されていないと、検査装置は、不具合の検知のためのラスタデータを生成するときに当該フォントを使用することができず、不具合の検知ができないこととなる。
【０００５】
本発明は、ラスタデータの不具合を検知する装置がリソースの使用に要するライセンス情報を有してなくても、当該リソースを用いたラスタデータの不具合の検知を行えるようにすることを目的とする。
【課題を解決するための手段】
【０００６】
本発明の請求項１に係る画像処理システムは、使用にライセンスを要するリソースを記憶する第１記憶手段と、前記リソースの使用を許可するライセンス情報を有するライセンス保持手段と、画像データが使用する前記リソースが前記第１記憶手段に記憶され、当該リソースの使用を許可する前記ライセンス情報を前記ライセンス保持手段が有している場合、当該リソースを使用して前記ライセンス情報が付加された第１のラスタデータを生成する第１生成手段と、前記画像データに前記ライセンス情報を付加して検査装置へ出力し、前記第１のラスタデータを前記検査装置へ出力する出力手段と、を有する画像処理装置と、前記リソースを記憶する第２記憶手段と、前記出力手段から出力される前記画像データと前記第１のラスタデータを取得する取得手段と、前記取得手段が取得した前記画像データが使用する前記リソースが前記第２記憶手段に記憶され、前記画像データに付加されていた前記ライセンス情報が当該リソースの使用を許可するライセンス情報である場合、当該リソースを使用して前記ライセンス情報が付加された第２のラスタデータを生成する第２生成手段と、前記第１のラスタデータと前記第２のラスタデータとの相違を検知する手段であって、付加されている前記ライセンス情報が同じである前記第１のラス
タデータと前記第２のラスタデータとの相違を検知する検知手段とを有する検査装置とを備える。
【０００７】
本発明の請求項２に係る画像処理システムは、前記取得手段が取得した前記画像データに付加されているライセンス情報が、前記画像データが使用するリソースの使用を許可するライセンス情報ではない場合、相違の検知を行わない。
【０００８】
本発明の請求項３に係る画像処理システムは、前記画像データが使用するリソースの使用を許可するライセンス情報を前記ライセンス保持手段が保持していない場合、相違の検知を行わない。
【０００９】
本発明の請求項４に係る画像処理システムは、前記検知手段の検知結果を表示する表示手段を備える。
【００１０】
本発明の請求項５に係る画像処理システムは、前記検知手段の検知結果をページ毎に表示する表示手段を備える。
【００１１】
本発明の請求項６に係る画像処理システムは、画像データから第１方式で第１のラスタデータを生成する第１生成手段と、前記第１のラスタデータを検査装置へ出力する出力手段と、前記出力手段による前記検査装置への出力が失敗した場合、予め行われた設定に従って、前記出力手段の出力を制御する出力制御手段とを有する画像処理装置と、前記出力手段から出力される前記第１のラスタデータを取得する取得手段と、前記画像データから第２方式で第２のラスタデータを生成第２生成手段と、前記第１のラスタデータと前記第２のラスタデータとの相違を検知する検知手段とを有する検査装置とを備える。
【００１２】
本発明の請求項７に係る画像処理システムにおいては、前記出力手段は、前記第１のラスタデータを画像形成装置へ出力し、前記出力制御手段は、前記出力手段による前記検査装置への出力が失敗した場合、予め行われた設定に従って、前記出力手段の前記画像形成装置への前記第１のラスタデータの出力又は前記画像形成装置による画像形成を制御する。
【００１３】
本発明の請求項８に係る画像処理装置は、記録媒体に形成する画像を表す画像データを取得する取得手段と、使用にライセンスを要するリソースを記憶する記憶手段と、前記リソースの使用を許可するライセンス情報を有するライセンス保持手段と、前記画像データが使用する前記リソースが前記記憶手段に記憶され、当該リソースの使用を許可する前記ライセンス情報を前記ライセンス保持手段が有している場合、当該リソースを使用して前記ライセンス情報が付加された第１のラスタデータを生成する生成手段と、前記取得手段が取得した画像データに前記ライセンス情報を付加して検査装置へ出力し、前記第１のラスタデータを前記検査装置へ出力する出力手段と、を有する。
【００１４】
本発明の請求項９に係るプログラムは、コンピュータを、記録媒体に形成する画像を表す画像データを取得する取得手段と、使用にライセンスを要するリソースの使用を許可するライセンス情報を取得するライセンス取得手段と、前記画像データが使用する前記リソースが記憶手段に記憶され、当該リソースの使用を許可する前記ライセンス情報を前記ライセンス取得手段が取得した場合、当該リソースを使用して前記ライセンス情報が付加された第１のラスタデータを生成する生成手段と、前記取得手段が取得した画像データに前記ライセンス情報を付加して検査装置へ出力し、前記第１のラスタデータを前記検査装置へ出力する出力手段として機能させるためのプログラムである。
【００１５】
本発明の請求項１０に係る画像処理装置は、記録媒体に形成する画像を表す画像データ
を取得する取得手段と、前記画像データから第１方式で第１のラスタデータを生成する生成手段と、前記取得手段が取得した画像データと、前記第１のラスタデータを検査装置へ出力する出力手段と、前記出力手段による前記検査装置への出力が失敗した場合、予め行われた設定に従って、前記出力手段の出力を制御する出力制御手段とを有する。
【００１６】
本発明の請求項１１に係るプログラムは、コンピュータを、記録媒体に形成する画像を表す画像データを取得する取得手段と、前記画像データから第１方式で第１のラスタデータを生成する生成手段と、前記取得手段が取得した画像データと、前記第１のラスタデータを検査装置へ出力する出力手段と、前記出力手段による前記検査装置への出力が失敗した場合、予め行われた設定に従って、前記出力手段の出力を制御する出力制御手段として機能させるためのプログラムである。
【発明の効果】
【００１７】
本発明の請求項１に係る画像処理システムによれば、ラスタデータの不具合を検知する装置がリソースの使用に要するライセンス情報を有してなくても、当該リソースを用いたラスタデータの不具合の検知を行うことができる。
本発明の請求項２に係る画像処理システムによれば、使用が許可されていないリソースの使用を防ぐことができる。
本発明の請求項３に係る画像処理システムによれば、使用が許可されていないリソースの使用を防ぐことができる。
本発明の請求項４に係る画像処理システムによれば、異なる方式で生成されたラスタデータの相違を報知することができる。
本発明の請求項５に係る画像処理システムによれば、異なる方式で生成されたラスタデータの相違をページ毎に報知することができる。
本発明の請求項６に係る画像処理システムによれば、検査装置で不具合が発生しても、ユーザが操作することなく、出力を継続又は中止させることができる。
本発明の請求項７に係る画像処理システムによれば、検査装置で不具合が発生しても、ユーザが操作することなく、印刷を継続又は中止することができる。
本発明の請求項８に係る画像処理装置によれば、ラスタデータの不具合を検知する装置がリソースの使用に要するライセンス情報を有してなくても、当該リソースを用いたラスタデータの不具合の検知を行うことができる。
本発明の請求項９に係るプログラムによれば、ラスタデータの不具合を検知する装置がリソースの使用に要するライセンス情報を有してなくても、当該リソースを用いたラスタデータの不具合の検知を行うことができる。
本発明の請求項１０に係る画像処理装置によれば、検査装置で不具合が発生しても、ユーザが操作することなく、出力を継続又は中止させることができる。
本発明の請求項１１に係るプログラムによれば、検査装置で不具合が発生しても、ユーザが操作することなく、出力を継続又は中止させることができる。
【図面の簡単な説明】
【００１８】
【図１】本発明の一実施形態である画像形成システム１に係る装置を示した図。
【図２】第１画像処理装置１０Ａと第２画像処理装置１０Ｂのハードウェア構成を示した図。
【図３】第１画像処理装置１０Ａと第２画像処理装置１０Ｂの機能ブロック図。
【図４】検査装置３０のハードウェア構成を示した図。
【図５】検査装置３０の機能ブロック図。
【図６】実施形態の動作例を説明するためのシーケンス図。
【図７】第１画像処理装置１０Ａと第２画像処理装置１０Ｂが表示する画面の一例を示した図。
【図８】第１画像処理装置１０Ａと第２画像処理装置１０Ｂが行う処理の流れを示したフローチャート。
【発明を実施するための形態】
【００１９】
［実施形態］
（全体構成）
図１は、本発明の一実施形態である画像形成システム１に係る装置を示した図である。画像形成システム１は、第１画像処理装置１０Ａ、第２画像処理装置１０Ｂ、第１画像形成装置２０Ａ、第２画像形成装置２０Ｂ及び検査装置３０で構成されている。
【００２０】
第１画像処理装置１０Ａは、パーソナルコンピュータなどの外部装置から供給される画像データを取得して記憶する。第１画像処理装置１０Ａは、記憶した画像データが示す画像のラスタデータを生成するＲＩＰ（Raster Image Processor）機能を有する。ラスタデータは、行列に並んだピクセルで画像を表すデータである。第１画像処理装置１０Ａは、複数の方式でラスタデータを生成することが可能であり、例えば、ＣＰＳＩ方式とＡＰＰＥ方式でラスタデータを生成することが可能となっている。第１画像処理装置１０Ａは、第１画像形成装置２０Ａに接続されており、記憶した画像データについてオペレータから印刷を指示されると、オペレータが選択した方式で生成したラスタデータを第１画像形成装置２０Ａへ出力し、ラスタデータが示す画像の印刷を第１画像形成装置２０Ａへ指示する。また、第１画像処理装置１０Ａは、印刷を指示された画像データと、第１画像形成装置２０Ａへ出力したラスタデータを検査装置３０へ出力し、ラスタデータの検査を検査装置３０へ指示する。
【００２１】
第２画像処理装置１０Ｂは、外部装置から供給される画像データを取得して記憶する。第２画像処理装置１０Ｂは、記憶した画像データが示す画像のラスタデータを生成するＲＩＰ機能を有する。第２画像処理装置１０Ｂも、第１画像処理装置１０Ａと同じく、複数の方式でラスタデータを生成することが可能となっている。第２画像処理装置１０Ｂは、第２画像形成装置２０Ｂに接続されており、記憶した画像データについてオペレータから印刷を指示されると、オペレータが選択した方式で生成したラスタデータを第２画像形成装置２０Ｂへ出力し、ラスタデータが示す画像の印刷を第２画像形成装置２０Ｂへ指示する。また、第２画像処理装置１０Ｂは、印刷を指示された画像データと、第２画像形成装置２０Ｂへ出力したラスタデータを検査装置３０へ出力し、ラスタデータの検査を検査装置３０へ指示する。
【００２２】
第１画像形成装置２０Ａは、第１画像処理装置１０Ａから出力されるラスタデータに従って、記録媒体である用紙に画像を形成する装置である。第２画像形成装置２０Ｂは、第２画像処理装置１０Ｂから出力されるラスタデータに従って、記録媒体である用紙に画像を形成する装置である。
【００２３】
検査装置３０は、ＲＩＰ処理おける文字化けなどの不具合を検査する装置である。検査装置３０は、第１画像処理装置１０Ａから供給される画像データとラスタデータを取得する。検査装置３０は、第１画像処理装置１０Ａから供給された画像データから、第１画像処理装置１０Ａから供給されたラスタデータを生成したＲＩＰ処理の方式とは異なる方式でラスタデータを生成する。検査装置３０は、第１画像処理装置１０Ａから供給されたラスタデータと、第１画像処理装置１０Ａから供給された画像データから生成したラスタデータとを比較することにより、異なる方式で生成された２つのラスタデータの相違を検知し、ＲＩＰ処理おける文字化けなどの不具合を検査する。また、検査装置３０は、第２画像処理装置１０Ｂから供給される画像データとラスタデータを取得する。検査装置３０は、第２画像処理装置１０Ｂから供給された画像データから、第２画像処理装置１０Ｂから供給されたラスタデータを生成したＲＩＰ処理の方式とは異なる方式でラスタデータを生成する。検査装置３０は、第２画像処理装置１０Ｂから供給されたラスタデータと、第２
画像処理装置１０Ｂから供給された画像データから生成したラスタデータとを比較することにより、異なる方式で生成された２つのラスタデータの相違を検知し、ＲＩＰ処理おける文字化けなどの不具合を検査する。
【００２４】
（第１画像処理装置１０Ａと第２画像処理装置１０Ｂの構成）
図２は、第１画像処理装置１０Ａと第２画像処理装置１０Ｂのハードウェア構成の一例を示した図である。なお、第１画像処理装置１０Ａと第２画像処理装置１０Ｂの各部を区別する必要がある場合、説明の便宜上、第１画像処理装置１０Ａと第２画像処理装置１０Ｂの符号の末尾のアルファベットを各部の符号の末尾に付加して説明を行う。例えば、第１画像処理装置１０Ａの各部については、各部の符号の末尾に「Ａ」を付け、第２画像処理装置１０Ｂの各部については、各部の符号の末尾に「Ｂ」を付ける。
【００２５】
表示部１０３は、例えば、文字やＧＵＩ（Graphical UserInterface）などを表示する液晶ディスプレイ装置と、液晶ディスプレイ装置の表示を制御するＶＩＤＥＯボードを有する。ＶＩＤＥＯボードは、本発明に係るライセンス保持手段の一例である。操作部１０４は、入力機器であるキーボード及びマウスを有し、ユーザに操作される。通信部１０５は、検査装置３０に接続され、検査装置３０とデータ通信を行う通信インターフェースとして機能する。なお、通信部１０５Ａは、第１画像形成装置２０Ａに接続され、第１画像形成装置２０Ａと通信を行う通信インターフェースとしても機能し、通信部１０５Ｂは、第２画像形成装置２０Ｂに接続され、第２画像形成装置２０Ｂと通信を行う通信インターフェースとしても機能する。
【００２６】
記憶部１０２は、例えばハードディスク装置などの記憶装置を有しており、オペレーティングシステムのプログラムやアプリケーションプログラム、アプリケーションプログラムが生成したデータ、外部装置から供給された画像データなどを記憶する。記憶部１０２は、本発明に係る第１記憶手段の一例である。記憶部１０２は、本発明に係るアプリケーションプログラムとして、取得した画像データからラスタデータを生成する機能、生成したラスタデータを出力する機能、取得した画像データを検査装置３０へ出力する機能などを備えたプログラムを記憶する。
【００２７】
また、記憶部１０２は、使用にライセンスを要するフォントのデータと、当該フォントの使用の可否を判断するためのライセンス情報を記憶する。フォントのデータは、本発明に係るリソースの一例である。ライセンス情報は、例えば、表示部１０３が備えるＶＩＤＥＯボードのシリアルナンバーである。第１画像処理装置１０Ａが有する記憶部１０２Ａには、表示部１０３Ａが備えるＶＩＤＥＯボードのシリアルナンバーがライセンス情報としてフォントのデータに対応付けて記憶され、第２画像処理装置１０Ｂが有する記憶部１０２Ｂには、表示部１０３Ｂが備えるＶＩＤＥＯボードのシリアルナンバーがライセンス情報としてフォントのデータに対応付けて記憶される。第１画像処理装置１０Ａは、フォントのデータに対応付けて記憶されているライセンス情報と、表示部１０３Ａが備えるＶＩＤＥＯボードのシリアルナンバーが一致した場合、当該フォントを使用してラスタデータを生成することが可能となり、第２画像処理装置１０Ｂは、フォントのデータに対応付けて記憶されているライセンス情報と、表示部１０３Ｂが備えるＶＩＤＥＯボードのシリアルナンバーが一致した場合、当該フォントを使用してラスタデータを生成することが可能となる。
【００２８】
制御部１０１は、ＣＰＵ（Central Processing Unit）及びメモリを有している。画像処理装置１０において実現する機能は、記憶部１０２に記憶されているプログラム（ソフトウェア）をＣＰＵ、メモリなどのハードウェア上に読み込ませることでＣＰＵが演算を行い、記憶部１０２の制御、通信部１０５の制御、メモリ及び記憶部１０２におけるデータの読み出し及び／又は書き込みの制御を行うことで実現される。
【００２９】
（第１画像処理装置１０Ａと第２画像処理装置１０Ｂの機能構成）
図３は、第１画像処理装置１０Ａと第２画像処理装置１０Ｂにおいて実現する機能のうち、本発明に係る特徴的な機能の構成を示した機能ブロック図である。なお、第１画像処理装置１０Ａと第２画像処理装置１０Ｂの各機能を区別する必要がある場合、説明の便宜上、第１画像処理装置１０Ａと第２画像処理装置１０Ｂの符号の末尾のアルファベットを各部の符号の末尾に付加して説明を行う。
【００３０】
第１取得部１００１は、外部装置から供給される画像データを取得し、取得した画像データを記憶部１０２に記憶させる。第１取得部１００１は、本発明に係る第１取得手段の一例である。第１生成部１００２は、記憶部１０２に記憶されている画像データからオペレータにより指示された方式でラスタデータを生成する。第１生成部１００２は、本発明に係る第１生成手段の一例である。出力部１００３は、第１生成部１００２が生成したラスタデータを接続されている装置へ出力する。また、出力部１００３は、記憶部１０２に記憶されている画像データを検査装置３０へ出力する。出力部１００３は、本発明に係る出力手段の一例であり、出力部１００３が出力するラスタデータは、本発明に係る第１のラスタデータの一例である。出力制御部１００４は、出力部１００３によるラスタデータの出力を制御する。出力制御部１００４は、本発明に係る出力制御手段の一例である。
【００３１】
（検査装置３０の構成）
図４は、検査装置３０のハードウェア構成の一例を示したブロック図である。表示部３０３は、例えば、文字やＧＵＩなどを表示する液晶ディスプレイ装置である。操作部３０４は、入力機器であるキーボード及びマウスを有し、ユーザに操作される。通信部３０５は、第１画像処理装置１０Ａと第２画像処理装置１０Ｂに接続され、第１画像処理装置１０Ａ及び第２画像処理装置１０Ｂとデータ通信を行う通信インターフェースとして機能する。
【００３２】
記憶部３０２は、例えばハードディスク装置などの記憶装置を有しており、オペレーティングシステムのプログラムやアプリケーションプログラム、アプリケーションプログラムが生成したデータ、第１画像処理装置１０Ａと第２画像処理装置１０Ｂから供給された画像データなどを記憶する。記憶部３０２は、本発明に係る第２記憶手段の一例である。記憶部３０２は、本発明に係るアプリケーションプログラムとして、第１画像処理装置１０Ａと第２画像処理装置１０Ｂから取得した画像データからラスタデータを生成する機能、第１画像処理装置１０Ａと第２画像処理装置１０Ｂから取得したラスタデータと、第１画像処理装置１０Ａと第２画像処理装置１０Ｂから取得した画像データから生成したラスタデータとの相違を検知する機能などを備えたプログラムを記憶する。
【００３３】
制御部３０１は、ＣＰＵ及びメモリを有している。検査装置３０において実現する機能は、記憶部３０２に記憶されているプログラム（ソフトウェア）をＣＰＵ、メモリなどのハードウェア上に読み込ませることでＣＰＵが演算を行い、記憶部３０２の制御、通信部３０５の制御、メモリ及び記憶部３０２におけるデータの読み出し及び／又は書き込みの制御を行うことで実現される。
【００３４】
（検査装置３０の機能構成）
図５は、検査装置３０において実現する機能のうち、本発明に係る特徴的な機能の構成を示した機能ブロック図である。第２取得部３００１は、第１画像処理装置１０Ａと第２画像処理装置１０Ｂから出力された画像データとラスタデータを取得し、取得したデータを記憶部３０２に記憶させる。第２取得部３００１は、本発明に係る第２取得手段の一例である。第２生成部３００２は、記憶部３０２に記憶されている画像データからラスタデータを生成する。第２生成部３００２は、本発明に係る第２生成手段の一例であり、第２
生成部３００２が生成するラスタデータは、本発明に係る第２のラスタデータの一例である。検知部３００３は、第２生成部３００２が生成したラスタデータと、第２取得部３００１が取得したラスタデータとを比較し、２つのラスタデータの相違を検知する。検知部３００３は、検知結果を表示部３０３で表示する。検知部３００３は、本発明に係る検知手段と表示手段の一例である。
【００３５】
（実施形態の動作例）
次に本実施形態の動作例について説明する。図６は、本実施形態の動作例を説明するためのシーケンス図である。オペレータは、第１画像形成装置２０Ａで印刷する画像を示す画像データを外部装置から第１画像処理装置１０Ａへ供給し、第２画像形成装置２０Ｂで印刷する画像を示す画像データを外部装置から第２画像処理装置１０Ｂへ供給する。説明の便宜上、第１画像処理装置１０Ａに供給された画像データを画像データ（Ａ）と称し、第２画像処理装置１０Ｂに供給された画像データ（Ｂ）と称する。画像データ（Ｂ）は、画像データ（Ａ）とは異なる画像データである。第１画像処理装置１０Ａ（第１取得部１００１Ａ）は、外部装置から供給される画像データ（Ａ）を取得し、取得した画像データ（Ａ）を記憶部１０２Ａに記憶する（ステップＳ１）。第２画像処理装置１０Ｂ（第１取得部１００１Ｂ）は、外部装置から供給される画像データ（Ｂ）を取得し、取得した画像データ（Ｂ）を記憶部１０２Ａに記憶する（ステップＳ２）。
【００３６】
オペレータは、記憶部１０２Ａに記憶されている画像データの中から、第１画像形成装置２０Ａで印刷する画像データ（Ａ）を選択する操作を操作部１０４Ａで行った後、選択した画像データ（Ａ）に行うＲＩＰ処理の方式の選択し、選択した画像データ（Ａ）について画像形成を指示する操作を操作部１０４Ａで行う。
【００３７】
第１画像処理装置１０Ａ（第１生成部１００２Ａ）は、オペレータが選択したＲＩＰ処理の方式に従って、オペレータが選択した画像データ（Ａ）が示す画像のラスタデータの生成を開始する（ステップＳ３）。第１画像処理装置１０Ａは、画像データ（Ａ）が示す画像が複数ページである場合、ページ毎にラスタデータを生成する。ここで第１画像処理装置１０Ａは、画像データ（Ａ）が示す画像が、ライセンスを要するフォントを使用している場合、当該フォントの使用の可否を判断する。具体的には、第１画像処理装置１０Ａは、画像データ（Ａ）が使用するフォントに対応付けて記憶部１０２Ａに記憶されているライセンス情報と、表示部１０３ＡのＶＩＤＥＯボードのシリアルナンバーが一致した場合、画像データ（Ａ）が使用するフォントの使用が許可されていると判断する。第１画像処理装置１０Ａは、画像データ（Ａ）が使用するフォントの使用が許可されている場合、当該フォントを用いてラスタデータを生成する。
【００３８】
また、オペレータは、記憶部１０２Ｂに記憶されている画像データの中から、第２画像形成装置２０Ｂで印刷する画像データ（Ｂ）を選択する操作を操作部１０４Ｂで行った後、選択した画像データ（Ｂ）に行うＲＩＰ処理の方式の選択し、選択した画像データ（Ｂ）について画像形成を指示する操作を操作部１０４Ｂで行う。
【００３９】
第２画像処理装置１０Ｂ（第１生成部１００２Ｂ）は、オペレータが選択したＲＩＰ処理の方式に従って、オペレータが選択した画像データ（Ｂ）が示す画像のラスタデータの生成を開始する（ステップＳ４）。第２画像処理装置１０Ｂは、画像データ（Ｂ）が示す画像が複数ページである場合、ページ毎にラスタデータを生成する。ここで第２画像処理装置１０Ｂは、画像データ（Ｂ）が示す画像が、ライセンスを要するフォントを使用している場合、当該フォントの使用の可否を判断する。具体的には、第２画像処理装置１０Ｂは、画像データ（Ｂ）が使用するフォントに対応付けて記憶部１０２Ｂに記憶されているライセンス情報と、表示部１０３ＢのＶＩＤＥＯボードのシリアルナンバーが一致した場合、画像データ（Ｂ）が使用するフォントの使用が許可されていると判断する。第２画像
処理装置１０Ｂは、画像データ（Ｂ）が使用するフォントの使用が許可されている場合、当該フォントを用いてラスタデータを生成する。
【００４０】
ラスタデータの生成を開始した第１画像処理装置１０Ａ（出力部１００３Ａ）は、画像データ（Ａ）が使用するフォントのライセンス情報が付加された画像データ（Ａ）と、オペレータが選択したＲＩＰ処理の方式を示すＲＩＰ情報を検査装置３０へ出力する（ステップＳ５）。また、ラスタデータの生成を開始した第２画像処理装置１０Ｂ（出力部１００３Ｂ）は、画像データ（Ｂ）が使用するフォントのライセンス情報が付加された画像データ（Ｂ）と、オペレータが選択したＲＩＰ処理の方式を示すＲＩＰ情報を検査装置３０へ出力する（ステップＳ６）。説明の便宜上、第１画像処理装置１０Ａが出力するＲＩＰ情報をＲＩＰ情報（Ａ）と称し、第２画像処理装置１０Ｂが出力するＲＩＰ情報をＲＩＰ情報（Ｂ）と称する。
【００４１】
検査装置３０（第２取得部３００１）は、第１画像処理装置１０Ａから出力された画像データ（Ａ）とＲＩＰ情報（Ａ）を取得し、第２画像処理装置１０Ｂから出力された画像データ（Ｂ）とＲＩＰ情報（Ｂ）を取得する（ステップＳ７）。
【００４２】
次に第１画像処理装置１０Ａ（出力部１００３Ａ）は、生成したラスタデータの出力を開始する（ステップＳ８）。説明の便宜上、第１画像処理装置１０Ａが出力したラスタデータをラスタデータ（Ａ）と称する。ここで第１画像処理装置１０Ａは、生成したラスタデータ（Ａ）の第１画像形成装置２０Ａへの出力を開始する。また、第１画像処理装置１０Ａ（出力部１００３Ａ）は、画像データ（Ａ）が使用するフォントのライセンス情報が付加されたラスタデータ（Ａ）を検査装置３０へ出力する。
【００４３】
また、第２画像処理装置１０Ｂ（出力部１００３Ｂ）は、生成したラスタデータの出力を開始する（ステップＳ９）。説明の便宜上、第２画像処理装置１０Ｂが出力したラスタデータをラスタデータ（Ｂ）と称する。ここで第２画像処理装置１０Ｂは、生成したラスタデータ（Ｂ）の第２画像形成装置２０Ｂへの出力を開始する。また、第２画像処理装置１０Ｂ（出力部１００３Ｂ）は、画像データ（Ｂ）が使用するフォントのライセンス情報が付加されたラスタデータ（Ｂ）を検査装置３０へ出力する。
【００４４】
検査装置３０（第２取得部３００１）は、第１画像処理装置１０Ａから出力されるラスタデータ（Ａ）と、第２画像処理装置１０Ｂから出力されるラスタデータ（Ｂ）の取得を開始する（ステップＳ１０）。
【００４５】
検査装置３０（第２生成部３００２）は、取得したＲＩＰ情報（Ａ）が示すＲＩＰ処理の方式とは異なる方式で画像データ（Ａ）にＲＩＰ処理を行い、画像データ（Ａ）からラスタデータの生成を開始する（ステップＳ１１）。ここで検査装置３０は、画像データ（Ａ）が示す画像が、ライセンスを要するフォントを使用している場合、当該フォントの使用の可否を判断する。具体的には、検査装置３０は、画像データ（Ａ）が使用するフォントに対応付けて記憶部３０２に記憶されているライセンス情報と、画像データ（Ａ）に付加されているライセンス情報が一致した場合、当該フォントを使用してラスタデータを生成する。
【００４６】
また、検査装置３０（第２生成部３００２）は、取得したＲＩＰ情報（Ｂ）が示すＲＩＰ処理の方式とは異なる方式で画像データ（Ｂ）にＲＩＰ処理を行い、画像データ（Ｂ）からラスタデータの生成を開始する（ステップＳ１２）。ここで検査装置３０は、画像データ（Ｂ）が示す画像が、ライセンスを要するフォントを使用している場合、当該フォントの使用の可否を判断する。具体的には、検査装置３０は、画像データ（Ｂ）が使用するフォントに対応付けて記憶部３０２に記憶されているライセンス情報と、画像データ（Ｂ
）に付加されているライセンス情報が一致した場合、当該フォントを使用してラスタデータを生成する。
【００４７】
検査装置３０（検知部３００３）は、画像データ（Ａ）から生成したラスタデータと、第１画像処理装置１０Ａから取得したラスタデータとの相違を検知する（ステップＳ１３）。具体的には、検査装置３０は、取得して記憶部３０２に記憶された画像データのうち、画像データ（Ａ）に付加されていたライセンス情報と同じライセンス情報が付加されているラスタデータを特定し、画像データ（Ａ）から生成したラスタデータと、特定したラスタデータとをページ毎に比較して相違を検知する。
【００４８】
また、検査装置３０（検知部３００３）は、画像データ（Ｂ）から生成したラスタデータと、第２画像処理装置１０Ｂから取得したラスタデータとの相違を検知する（ステップＳ１４）。具体的には、検査装置３０は、取得して記憶部３０２に記憶された画像データのうち、画像データ（Ｂ）に付加されていたライセンス情報と同じライセンス情報が付加されているラスタデータを特定し、画像データ（Ｂ）から生成したラスタデータと、特定したラスタデータとをページ毎に比較して相違を検知する。
【００４９】
検査装置３０（検知部３００３）は、画像データ（Ａ）から生成したラスタデータと、第１画像処理装置１０Ａから取得したラスタデータの相違の検知の結果を表示部３０３で表示し、画像データ（Ｂ）から生成したラスタデータと、第２画像処理装置１０Ｂから取得したラスタデータの相違の検知の結果を表示部３０３で表示する（ステップＳ１５）。検査装置３０は、ラスタデータの相違の検知結果を表示する際には、相違の検知を行ったラスタデータを出力した装置の識別子と対応付けて検知結果を表示する。例えば、検査装置３０は、第１画像処理装置１０Ａが有するフォントのライセンス情報と第１画像処理装置１０ＡのＩＰアドレスとを対応付けて記憶部３０２に記憶する。検査装置３０は、第１画像処理装置１０Ａから取得して相違の検知を行ったラスタデータ（Ａ）に付与されているライセンス情報に対応付けて記憶されているＩＰアドレスを特定し、このラスタデータ（Ａ）についての相違の検知結果を、特定したＩＰアドレスと対応付けて表示する。なお、検査装置３０は、ラスタデータ（Ａ）の取得時にラスタデータ（Ａ）を出力した第１画像処理装置１０ＡのＩＰアドレスを取得し、ラスタデータ（Ａ）についての相違の検知結果と共に、このラスタデータ（Ａ）を出力した第１画像処理装置１０ＡのＩＰアドレスを表示してもよい。
【００５０】
次に、検査装置３０が第１画像処理装置１０Ａと通信を行えない状態であるときの動作例について説明する。オペレータは、第１画像処理装置１０Ａにおいて、検査装置３０と通信を行えない状態のときの動作の設定を行う。図７は、この設定を行うための画面の一例である。この画面においては、検査装置３０と通信を行えない状態のときに画像データの印刷処理を継続するか中止するかの設定と、検査装置３０と通信を行えない状態のときにラスタデータの検査処理を継続するか中止するかの設定を行うことができる。オペレータは、操作部３０４を操作し、図７の画面において、検査装置３０と通信を行えなくなったときに印刷処理を継続するか中止するかを選択し、検査装置３０と通信を行えなくなったときに検査処理について、継続するか中止するかを選択する。検査装置３０は、図７の画面のＯＫボタンをクリックする操作が行われると、オペレータが行った設定を記憶する。
【００５１】
オペレータは、記憶部１０２Ａに記憶されている画像データの中から、第１画像形成装置２０Ａで印刷する画像データ（Ａ）を選択する操作を操作部１０４Ａで行った後、選択した画像データ（Ａ）に行うＲＩＰ処理の方式の選択し、選択した画像データ（Ａ）について画像形成を指示する操作を操作部１０４Ａで行う。
【００５２】
第１画像処理装置１０Ａは、オペレータが選択したＲＩＰ処理の方式に従って、オペレータが選択した画像データ（Ａ）が示す画像のラスタデータの生成を開始する。第１画像処理装置１０Ａは、画像データ（Ａ）が示す画像が複数ページである場合、ページ毎にラスタデータを生成する。ここで第１画像処理装置１０Ａは、画像データ（Ａ）が示す画像が、ライセンスを要するフォントを使用している場合、当該フォントの使用の可否を判断する。第１画像処理装置１０Ａは、画像データ（Ａ）が使用するフォントの使用が許可されている場合、当該フォントを用いてラスタデータを生成する。
【００５３】
ラスタデータの生成を開始した第１画像処理装置１０Ａは、画像データ（Ａ）が使用するフォントのライセンス情報が付加された画像データ（Ａ）と、オペレータが選択したＲＩＰ処理の方式を示すＲＩＰ情報を検査装置３０へ出力する。また、第１画像処理装置１０Ａは、生成したラスタデータ（Ａ）の出力を開始する。ここで第１画像処理装置１０Ａは、生成した各ページのラスタデータ（Ａ）の第１画像形成装置２０Ａへの出力を開始する。また、第１画像処理装置１０Ａは、画像データ（Ａ）が使用するフォントのライセンス情報が付加されたラスタデータ（Ａ）を検査装置３０へ出力する。
【００５４】
図８は、ラスタデータを出力した第１画像処理装置１０Ａが行う処理の流れを示したフローチャートである。第１画像処理装置１０Ａは、画像データ（Ａ）から生成した複数のページの各ラスタデータを出力する毎に図８の処理を実行する。
【００５５】
第１画像処理装置１０Ａ（出力制御部１００４Ａ）は、ラスタデータを検査装置３０へ出力した後、出力したラスタデータに対応する取得メッセージを予め定められた時間内に検査装置３０から取得したか判断する（ステップＳＡ１）。第１画像処理装置１０Ａは、ラスタデータを検査装置３０へ出力した後、出力したラスタデータに対応する取得メッセージを予め定められた時間内に検査装置３０から取得した場合（ステップＳＡ１でＹＥＳ）、図８の処理を終了する。
【００５６】
第１画像処理装置１０Ａは、ラスタデータを第１画像形成装置２０Ａへ出力した後、出力したラスタデータに対応する取得メッセージを予め定められた時間内に検査装置３０から取得できなかった場合（ステップＳＡ１でＮＯ）、即ち、ラスタデータの検査装置３０への出力を失敗した場合、検査処理を継続するか中止するかの設定の情報を記憶部１０２Ａから取得する（ステップＳＡ２）。第１画像処理装置１０Ａは、取得した設定の情報が、検査処理の継続を示しているか判断する（ステップＳＡ３）。第１画像処理装置１０Ａは、取得した設定の情報が、検査の中止を示している場合（ステップＳＡ３でＮＯ）、生成しているラスタデータの検査装置３０への出力を中止し、ラスタデータの検査の処理を中止する（ステップＳＡ４）。一方、第１画像処理装置１０Ａは、取得した設定の情報が、検査の継続を示している場合（ステップＳＡ３でＹＥＳ）、取得メッセージが送られてこなかったラスタデータを検査装置３０へ再出力する（ステップＳＡ５）。
【００５７】
次に第１画像処理装置１０Ａは、印刷処理を継続するか中止するかの設定の情報を記憶部１０２Ａから取得する（ステップＳＡ６）。第１画像処理装置１０Ａは、取得した設定の情報が、印刷処理の継続を示しているか判断する（ステップＳＡ７）。第１画像処理装置１０Ａは、取得した設定の情報が、印刷の中止を示している場合（ステップＳＡ７でＮＯ）、生成しているラスタデータの第１画像形成装置２０Ａへの出力を中止し、画像データの印刷の処理を中止する（ステップＳＡ８）。一方、第１画像処理装置１０Ａは、取得した設定の情報が、印刷の継続を示している場合（ステップＳＡ７でＹＥＳ）、処理の流れをステップＳＡ１へ戻す。
【００５８】
［変形例］
以上、本発明の実施形態について説明したが、本発明は上述した実施形態に限定されることなく、他の様々な形態で実施可能である。例えば、上述の実施形態を以下のように変
形して本発明を実施してもよい。なお、上述した実施形態及び以下の変形例は、各々を組み合わせてもよい。
【００５９】
上述した実施形態においては、ライセンス情報はＶＩＤＥＯボードのシリアルナンバーであるが、ライセンス情報は、ＶＩＤＥＯボードのシリアルナンバーに限定されるものではない。例えば、第１画像処理装置１０Ａと第２画像処理装置１０ＢのＩＰアドレスや通信部１０５が有するハードウェアに付与されたＭＡＣアドレスであってもよい。
【００６０】
本発明においては、検査装置３０は、第１画像処理装置１０Ａから取得した画像データ（Ａ）に付加されているライセンス情報が、第１画像処理装置１０Ａから取得したラスタデータ（Ａ）に付加されているライセンス情報とは異なる場合、画像データ（Ａ）から生成したラスタデータと第１画像処理装置１０Ａから取得したラスタデータ（Ａ）との相違の検知を行わない構成としてもよい。なお、第２画像処理装置１０Ｂについても同様の構成としてもよい。
【００６１】
第１画像処理装置１０Ａが使用するフォントのライセンス情報とＶＩＤＥＯボードのシリアルナンバーが異なる場合、第１画像処理装置１０Ａは、検査装置３０へのラスタデータ（Ａ）と画像データ（Ａ）の出力を行わない構成としてもよい。なお、第２画像処理装置１０Ｂについても同様の構成としてもよい。
【００６２】
上述した実施形態においては、検査装置３０は、第１画像処理装置１０Ａと第２画像処理装置１０Ｂとから画像データを取得しているが、画像データを取得する構成は、実施形態の構成に限定されるものではない。例えば、画像データ（Ａ）が使用にライセンスを要しないフォントを用いている場合、外部装置から第１画像処理装置１０Ａと検査装置３０に画像データ（Ａ）を供給してもよい。
この場合、第１画像処理装置１０Ａは、供給された画像データ（Ａ）からラスタデータ（Ａ）を生成し、生成したラスタデータ（Ａ）とＲＩＰ情報（Ａ）を検査装置３０へ出力する。
検査装置３０は、外部装置から供給された画像データ（Ａ）と、第１画像処理装置１０Ａから供給されたラスタデータ（Ａ）及びＲＩＰ情報（Ａ）を取得する。
検査装置３０は、取得した画像データ（Ａ）から取得したＲＩＰ情報（Ａ）が示すＲＩＰ処理の方式とは異なる方式で画像データ（Ａ）にＲＩＰ処理を行い、画像データ（Ａ）からラスタデータを生成する。検査装置３０は、第１画像処理装置１０Ａから供給されたラスタデータ（Ａ）と、生成したラスタデータとの相違を検知する。
また、画像データ（Ａ）が使用にライセンスを要するフォントを用いている場合、第１画像処理装置１０Ａは、ライセンス情報が付加された画像データ（Ａ）に替えて、画像データ（Ａ）のファイル名とライセンス情報とをラスタデータ（Ａ）と共に検査装置３０へ出力する構成としてもよい。
この構成の場合、検査装置３０は、外部装置から供給された画像データ（Ａ）からラスタデータ（Ａ）を生成する際に、第１画像処理装置１０Ａから画像データ（Ａ）のファイル名と共に供給されたライセンス情報を用いてフォントの使用の可否を判断し、ラスタデータを生成する。
【００６３】
上述した実施形態においては、図７の画面において印刷処理について中止するとの設定が行われた場合、ラスタデータの第１画像処理装置１０Ａ（第２画像処理装置１０Ｂ）への出力を中止しているが、印刷処理について中止するとの設定が行われている場合の動作は、実施形態の動作に限定されるものではない。例えば、図７の画面において印刷処理について中止するとの設定が行われた場合、第１画像処理装置１０Ａ（第２画像処理装置１０Ｂ）は、ラスタデータの出力は継続し、ラスタデータが示す画像の形成の停止を第１画像形成装置２０Ａ（第２画像形成装置２０Ｂ）へ指示し、第１画像形成装置２０Ａ（第２画
像形成装置２０Ｂ）は、この指示に応じてラスタデータが示す画像の形成を停止してもよい。この変形例においては、第１画像処理装置１０Ａ（第２画像処理装置１０Ｂ）は、検査装置３０が正常に動作する状態となった場合、出力したラスタデータが示す画像の形成を第１画像形成装置２０Ａ（第２画像形成装置２０Ｂ）へ指示し、第１画像形成装置２０Ａ（第２画像形成装置２０Ｂ）は、この指示に応じて画像形成を行っていないラスタデータに基づいて画像形成を行うようにしてもよい。
【符号の説明】
【００６４】
１…画像形成システム、１０Ａ…第１画像処理装置、１０Ｂ…第２画像処理装置、２０Ａ…第１画像形成装置、２０Ｂ…第２画像形成装置、３０…検査装置、１０１…制御部、１０２…記憶部、１０３…表示部、１０４…操作部、１０５…通信部、３０１…制御部、３０２…記憶部、３０３…表示部、３０４…操作部、３０５…通信部、１００１…第１取得部、１００２…第１生成部、１００３…出力部、１００４…出力制御部、３００１…第２取得部、３００２…第２生成部、３００３…検知部。
【図１】
2019197403.tif 000003
【図２】
2019197403.tif 000004
【図３】
2019197403.tif 000005
【図４】
2019197403.tif 000006
【図５】
2019197403.tif 000007
【図６】
2019197403.tif 000008
【図７】
2019197403.tif 000009
【図８】
2019197403.tif 000010